(57)【要約】【課題】地絡が発生した場合に、地絡が発生した通電線を極力、特定することを可能とする地絡検知装置を提供する。【解決手段】地絡が発生した場合に、地絡が発生した通電線及び筐体を通って流れる地絡電流を検出し、該地絡電流の大きさに応じた出力を発生する地絡電流検出器４６と、地絡電流検出器４６の出力により示される地絡電流の大きさと、その変化パターンとのうちの少なくとも一方に基づいて、地絡が発生した通電線を特定する通電線特定部４１とを備える。【選択図】図２
2018179885.tif 000002
【特許請求の範囲】
【請求項１】
複数の電子部品の通電用の通電線が内部に配設された筐体を備える機器において、該筐体の導体部分といずれかの前記電子部品の通電用の通電線とが導通する現象である地絡が発生した場合に、該地絡が発生した通電線が、どの電子部品の通電用の通電線であるかを特定する機能を有する地絡検出装置であって、
前記地絡が発生した場合に、該地絡が発生した前記通電線及び前記筐体を通って流れる電流である地絡電流を検出し、該地絡電流の大きさに応じた出力を発生する地絡電流検出器と、
該地絡電流検出器の出力により示される地絡電流の大きさと、該地絡電流の大きさの変化パターンとのうちの少なくとも一方に基づいて、前記地絡が発生した通電線を特定する通電線特定部とを備えることを特徴とする地絡検出装置。
【請求項２】
請求項１記載の地絡検出装置において、
前記通電線特定部は、前記地絡が発生した場合における前記地絡電流検出器の出力により示される地絡電流の大きさが、あらかじめ設定された複数種類の範囲のうちのいずれの範囲に属するかの判断結果と、該地絡電流の大きさの変化パターンが、あらかじめ設定された複数種類の変化パターンのうちのいずれの種類の変化パターンであるかの判断結果とのうちの少なくとも一方の判断結果に基づいて、前記地絡が発生した通電線を特定するように構成されていることを特徴とする地絡検出装置。
【請求項３】
請求項１又は２記載の地絡検出装置において、
前記通電線特定部は、前記地絡電流検出器の出力により示される地絡電流の大きさの変動周波数を、前記変化パターンを表す指標として用いて、前記地絡が発生した通電線を特定するように構成されていることを特徴とする地絡検出装置。
【請求項４】
請求項１〜３のいずれか１項に記載の地絡検出装置において、
前記複数の電子部品のそれぞれの通電用の通電線のうち、少なくとも一部の複数の通電線に関して、当該一部の複数の通電線のうちのどの通電線で地絡が発生したのかを特定する場合に、前記一部の複数の通電線のそれぞれ毎に、該通電線で地絡が発生したか否かの判断処理を、前記一部の複数の通電線に対してあらかじめ定められた順序で実行するように構成されていることを特徴とする地絡検出装置。
【請求項５】
請求項１〜４のいずれか１項に記載の地絡検出装置において、
前記通電線特定部は、前記複数の電子部品のそれぞれの通電用の通電線のうち、所定の通電線で地絡が発生したのか否かを判断するために、該所定の通電線に対応する電子部品を作動させ、該作動状態での前記地絡電流検出器の出力により示される地絡電流の大きさと、該地絡電流の大きさの変化パターンとのうちの少なくとも一方に基づいて、前記所定の通電線の地絡が発生したか否かを判断するように構成されていることを特徴とする地絡検出装置。
【請求項６】
請求項１〜５のいずれか１項に記載の地絡検出装置において、
前記通電線特定部は、前記機器の運転が行われていない待機状態と、該機器の運転が行われている運転状態とで、各別の態様で前記地絡が発生した通電線を特定するように構成されていることを特徴とする地絡検出装置。
【発明の詳細な説明】
【技術分野】
【０００１】
本発明は、給湯器等の各種機器に含まれる複数の電子部品にそれぞれ接続される通電線の地絡を検出する装置に関する。
【背景技術】
【０００２】
種々様々な機器において、筐体の内部には、複数の電子部品の動作用の電力を通電する複数の通電線（所謂、ハーネスを構成する通電線）が配設されている。この種の機器では、その製造時、設置時、あるいは保守点検時等において、あるいは外部から作用する振動、衝撃等に起因して、いずれかの通電線の被覆チューブ（絶縁チューブ）が損傷を受けると、該通電線が筐体の導体部分に電気的に導通してしまう現象、所謂、地絡が発生する場合がある。
【０００３】
このような地絡が発生すると、機器に異常電流が流れたり、あるいは、機器の誤動作、誤検出等が発生する虞があることから、該地絡の発生を検知する装置が従来より提案されている（例えば、特許文献１〜３等を参照）。
【先行技術文献】
【特許文献】
【０００４】
【特許文献１】特開平５−３３６６４９号公報
【特許文献２】特開平１１−２７１３７８号公報
【特許文献３】特開２０１３−１９９８７４号公報
【発明の概要】
【発明が解決しようとする課題】
【０００５】
多数の電子部品を備える機器では、地絡が発生し得る通電線も多数になるため、地絡が発生した場合に、該地絡の発生を検知するだけでなく、どの通電線で地絡が発生したのかを極力、特定し得ることが望ましい。
【０００６】
しかるに、特許文献１等に見られる従来の技術では、多数の通電線から、地絡が発生した通電線を特定し得るものではない。
【０００７】
このため、従来は、地絡が発生し得る通電線を多数備える機器で、地絡が発生した場合には、業者等が多数の通電線から、地絡が発生した通電線を特定する作業が必要となる。そして、その作業に多大な工数がかかりやすいという不都合がある。
【０００８】
本発明は、かかる背景に鑑みてなされたものであり、地絡が発生した場合に、地絡が発生した通電線を極力、特定することを可能とする地絡検知装置を提供することを目的とする。
【課題を解決するための手段】
【０００９】
本発明の地絡検出装置は、上記の目的を達成するために、複数の電子部品の通電用の通電線が内部に配設された筐体を備える機器において、該筐体の導体部分といずれかの前記電子部品の通電用の通電線とが導通する現象である地絡が発生した場合に、該地絡が発生した通電線が、どの電子部品の通電用の通電線であるかを特定する機能を有する地絡検出装置であって、
前記地絡が発生した場合に、該地絡が発生した前記通電線及び前記筐体を通って流れる電流である地絡電流を検出し、該地絡電流の大きさに応じた出力を発生する地絡電流検出器と、
該地絡電流検出器の出力により示される地絡電流の大きさと、該地絡電流の大きさの変化パターンとのうちの少なくとも一方に基づいて、前記地絡が発生した通電線を特定する通電線特定部とを備えることを特徴とする（第１発明）。
【００１０】
ここで、複数の電子部品を備える機器では、それぞれの電子部品の電源電圧の大きさ、あるいは、各電子部品の通電電流の変化パターン、あるいは、各電子部品の通電回路のインピーダンス等が、電子部品の種類等に応じて異なる場合が多い。
【００１１】
このため、ある電子部品に対応する通電線（該電子部品の通電用の通電線）の地絡が発生した場合に、前記地絡電流検出器の出力により示される地絡電流の大きさ、あるいは、その変化パターンは、地絡が発生した通電線が、どの電子部品に対応する通電線であるかに特徴的なものとなる場合が多い。
【００１２】
そこで、前記通電線特定部は、前記地絡電流検出器の出力により示される地絡電流の大きさと、該地絡電流の大きさの変化パターンとのうちの少なくとも一方に基づいて、前記地絡が発生した通電線を特定する。
【００１３】
これにより、第１発明によれば、地絡が発生した通電線を極力、特定することを可能となる。
【００１４】
上記第１発明では、前記通電線特定部は、前記地絡が発生した場合における前記地絡電流検出器の出力により示される地絡電流の大きさが、あらかじめ設定された複数種類の範囲のうちのいずれの範囲に属するかの判断結果と、該地絡電流の大きさの変化パターンが、あらかじめ設定された複数種類の変化パターンのうちのいずれの種類の変化パターンであるかの判断結果とのうちの少なくとも一方の判断結果に基づいて、前記地絡が発生した通電線を特定するように構成され得る（第２発明）。
【００１５】
これによれば、地絡が発生した通電線を、極力多くの種類に分類して特定することが可能となる。
【００１６】
上記第１発明又は第２発明では、前記通電線特定部は、前記地絡電流検出器の出力により示される地絡電流の大きさの変動周波数を、前記変化パターンを表す指標として用いて、前記地絡が発生した通電線を特定するように構成され得る（第３発明）。
【００１７】
すなわち、前記複数の電子部品のうちには、通電の周波数が互いに異なる複数の電子部品が含まれる場合も多い。この場合、前記地絡電流検出器の出力により示される地絡電流の大きさの変動周波数を、前記変化パターンを表す指標として用いることで、地絡が発生した通電線を、地絡電流の変動周波数に基づいて分類して、特定することが可能となる。
【００１８】
上記第１〜第３発明では、前記複数の電子部品のそれぞれの通電用の通電線のうち、少なくとも一部の複数の通電線に関して、当該一部の複数の通電線のうちのどの通電線で地絡が発生したのかを特定する場合に、前記一部の複数の通電線のそれぞれ毎に、該通電線で地絡が発生したか否かの判断処理を、前記一部の複数の通電線に対してあらかじめ定められた順序で実行するように構成され得る（第４発明）。
【００１９】
なお、第４発明において、前記判断処理を、前記一部の複数の通電線に対してあらかじめ定められた順序で実行するというのは、前記一部の複数の通電線のうちの所定の第１通電線に対して第１番目に前記判断処理を実行し、所定の第２通電線に対して第２番目に前記判断処理を実行し、所定の第３通電線に対して第３番目に前記判断処理を実行する、というような態様で順番に前記判断処理を実行することを意味する。
【００２０】
上記第４発明によれば、前記一部の複数の通電線のそれぞれに対して、地絡が発生したか否かの判断処理を、当該判断処理の信頼性を高める上で好適な順序で実行することが可能となる。ひいては、地絡が発生した通電線の特定結果の信頼性を高めることができる。
【００２１】
上記第１〜第４発明では、前記通電線特定部は、前記複数の電子部品のそれぞれの通電用の通電線のうち、所定の通電線で地絡が発生したのか否かを判断するために、該所定の通電線に対応する電子部品を作動させ、該作動状態での前記地絡電流検出器の出力により示される地絡電流の大きさと、該地絡電流の大きさの変化パターンとのうちの少なくとも一方に基づいて、前記所定の通電線の地絡が発生したか否かを判断するように構成され得る（第５発明）。
【００２２】
ここで、ある電子部品については、該電子部品の作動状態において、該電子部品に対応する通電線の地絡が発生した場合に、前記地絡電流検出器の出力により示される地絡電流の大きさと、該地絡電流の大きさの変化パターンとのうちの少なくとも一方が特徴的なものとなる場合がある。
【００２３】
従って、第５発明によれば、このような電子部品に対応する通電線の地絡が発生した場合に、該通電線を特定することを適切に行うことが可能となる。
【００２４】
上記第１〜第５発明では、前記通電線特定部は、前記機器の運転が行われていない待機状態と、該機器の運転が行われている運転状態とで、各別の態様で前記地絡が発生した通電線を特定するように構成され得る（第６発明）。
【００２５】
すなわち、いずれかの電子部品に対応する通電線で地絡が発生した場合に、前記地絡電流検出器の出力により示される地絡電流の大きさ、あるいは、その変化パターンは、機器の待機状態と運転状態とで異なる場合も多い。従って、第６発明によれば、地絡が発生した通電線の特定結果の信頼性を高めることが可能となる。
【図面の簡単な説明】
【００２６】
【図１】本発明の一実施形態の機器としての給湯器の要部構成を概略的に示す図。
【図２】実施形態の給湯器に備えた電子回路ユニット及び電子部品の接続構成を示す図。
【図３】実施形態の給湯器に備えた電子回路ユニット及び電子部品の接続構成を示す図。
【図４】図２に示す地絡検知回路の回路構成を示す図。
【図５】地絡の発生時における地絡検知回路の動作を説明するための図。
【図６】実施形態の給湯器の待機状態において地絡検知回路が出力する電圧の大きさの範囲を例示する図。
【図７】実施形態の給湯器の電子部品の作動時において地絡検知回路が出力する電圧の大きさの範囲を例示する図。
【図８】実施形態の給湯器に備えたマイコンの処理を示すフローチャート。
【図９】実施形態の給湯器に備えたマイコンの処理を示すフローチャート。
【図１０】実施形態の給湯器に備えたマイコンの処理を示すフローチャート。
【図１１】実施形態の給湯器に備えたマイコンの処理を示すフローチャート。
【発明を実施するための形態】
【００２７】
本発明の一実施形態を図１〜図１１を参照して以下に説明する。図１を参照して、本実施形態では、地絡検出の対象とする機器１は、例えば、温水暖房機能付きの風呂給湯器である。図１は、この機器１（以降、単に給湯器１という）の要部構成を概略的に示している。
【００２８】
この給湯器１は、屋外に設置される筐体２を有する。該筐体２は、給湯器１の主要構成部品が搭載されたケーシングであり、その全体又は一部が金属等の導体により構成されている。そして、該筐体２の全体又は導体部分が、接地用ケーブル２ｇを介して大地側に接地されている。
【００２９】
筐体２の内部には、図示を省略する複数のバーナ（給湯用バーナ、風呂・暖房用バーナ）と複数の熱交換器（給湯用熱交換器、風呂・暖房用熱交換器）とが収容されている。そして、バーナに燃料ガスを供給する燃料配管３、加熱する給湯用水（水道水等）を筐体２内に導入する給水配管４、加熱された給湯用水（湯）を台所、浴室等の給湯場所に供給する給湯配管５、浴槽用水（湯）を流す浴槽配管６ａ，６ｂ、及び暖房用の温水を流す温水配管７ａ，７ｂが、筐体２内から延設されている。
【００３０】
さらに、筐体２の内部には、給湯器１の運転制御を担う制御装置として機能する電子回路ユニット１０が収容されている。この電子回路ユニット１０は、筐体２に図示しないブラケット等を介して固定された基板１１を有する。該基板１１には、配線パターン（図示省略）が形成されていると共に、後述の各種回路要素が実装されている。
【００３１】
また、基板１１には、複数のハーネス１２，１２，…が、各々コネクタ１３を介して接続されていると共に、給湯器１の電源電力としての商用電源の電力を受電する電源コード１４及び接地線１５がコネクタ１６を介して接続されている。
【００３２】
電源コード１４は、図示しない漏電遮断器を介して商用電源のコンセントに接続される。また、接地線１５は、筐体２の導体部分に接地され、ひいては、該筐体２を介して大地側に接地されている。
【００３３】
各ハーネス１２は、複数の通電線の束であり、それぞれ、後述する複数の電子部品と基板１１とを電気的に接続する。この場合、筐体２内に配置される電子部品と基板１１とを接続する各ハーネス１２は筐体２内に配設される。また、筐体２の外部に配置される電子部品と基板１１とを接続する各ハーネス１２（例えば後述のハーネス１２ｄ）は基板１１側のコネクタ１３から筐体２の所定の導出部まで筐体２内に配設され、さらに、該導出部から筐体２の外部に導出される。
【００３４】
本実施形態において、基板１１に実装されている代表的な回路要素と、基板１１にハーネス１２を介して接続される代表的な電子部品とを図２及び図３を参照して以下に説明する。
【００３５】
図２及び図３に示すように、本実施形態の給湯器１は、基板１１にハーネス１２を介して接続する電子部品として、例えば、図示しない電動弁（通水路中の三方弁等）を駆動する複数のステッピングモータ２１，２１，…と、筐体２内の所定の部位が過熱状態になると断線する温度ヒューズ２２と、筐体２内の全てのバーナ（給湯用バーナ、風呂・暖房用バーナ）に対して共通の燃料供給路（前記燃料配管３）を開閉するガス元弁２３と、ガス元弁２３の下流側の各バーナ毎の燃料供給路を開閉する複数のガス電磁弁２４，２４，…と、給湯温度等を検出する複数（図示例では２つ）のサーミスタ２５，２５と、前記給水配管４における給水流量を検出する水量センサ２６と、浴槽の湯はり時に該浴槽に供給される湯水の流量である湯はり量を検出する湯はり量センサ２７と、床暖房装置の運転操作用の床暖房リモコン２８と、浴室暖房装置の運転操作用の浴室暖房リモコン２９と、浴槽の湯はり用の流路を開閉する湯はり弁３０と、暖房用温水の流路に補水を行う通水路を開閉する補水弁３１とを含む。
【００３６】
そして、本実施形態では、ステッピングモータ２１，２１，…は、ハーネス１２ａ及びコネクタ１３ａを介して基板１１に接続され、温度ヒューズ２２、ガス元弁２３及びガス電磁弁２４，２４，…は、ハーネス１２ｂ及びコネクタ１３ｂを介して基板１１に接続されている。
【００３７】
また、サーミスタ２５，２５、水量センサ２６、及び湯はり量センサ２７は、ハーネス１２ｃ及びコネクタ１３ｃを介して基板１１に接続され、床暖房リモコン２８及び浴室暖房リモコン２９は、ハーネス１２ｄ及びコネクタ１３ｄで介して基板１１に接続され、湯はり弁３０及び補水弁３１は、ハーネス１２ｅ及びコネクタ１３ｅを介して基板１１に接続されている。
【００３８】
ここで、上記ハーネス１２ａ〜１２ｅのそれぞれは、少なくともその一部分が筐体２の導体部分に接触もしくは近接した状態で配設されるハーネスである。このため、ハーネス１２ａ〜１２ｅのそれぞれは、その被覆チューブ（図示省略）のかみこみ、損傷等によって、該ハーネスに含まれるいずれかの通電線が筐体２の導体部分に対して電気的に導通した状態、すなわち、地絡状態になり得る。
【００３９】
なお、本実施形態では、給湯器１に含まれる電子部品として、図２及び図３に示した電子部品を代表的に例示した。ただし、給湯器１に含まれる電子部品は、図２及び図３に示したもの以外の電子部品も含まれ得る。例えば、該電子部品には、前記基板１１以外の他の基板も含まれ得る。あるいは、図２及び図３に示した電子部品のうちのいずれかの電子部品が備えられない場合もある。また、電子部品の種類とハーネスとの組み合わせ、あるいは、基板１１におけるコネクタのレイアウトは、図２及び図３に示した態様に限られない。
【００４０】
また、本実施形態の給湯器１は、基板１１に実装された回路要素として、例えば、図２に示す如く、給湯器１の運転制御に係る制御処理を実行するマイコン（マイクロコンピュータ）４１と、商用電源の電力（交流電力）から、前記各電子部品やマイコン等の回路要素の動作用の所定電圧の直流電源電圧を生成する電源回路４２と、マイコン４１の制御指令に応じて前記ステッピングモータ２１，２１，…のそれぞれの駆動電流を通電する複数のモータ駆動回路４３，４３，…と、マイコン４１の制御指令に応じて前記ガス元弁２３及び各ガス電磁弁２４のそれぞれの通電制御（ひいては、ガス元弁２３及び各ガス電磁弁２４のそれぞれの開閉制御）を行う電磁弁駆動回路４４と、前記温度ヒューズ２２の断線時等にガス元弁２３及び各ガス電磁弁２４の通電を強制的に遮断する（ひいては、ガス元弁２３及び各ガス電磁弁２４を強制的に閉弁させる）強制閉弁回路４５と、いずれかのハーネス１２の通電線の地絡が発生した場合に、その発生を検知する地絡検知回路４６と、前記各サーミスタ２５による温度の検出信号、水量センサ２６による通水流量の検出信号、及び湯はり量センサ２７による湯はり量の検出信号を受けて、それらの検出情報をマイコン４１に入力する検出回路４７と、床暖房リモコン２８及び浴室暖房リモコン２９のそれぞれとマイコン４１との間の通信を中継する通信回路４８と、マイコン４１の制御指令に応じて前記湯はり弁３０の通電制御（ひいては、湯はり弁３０の開閉制御）を行う湯はり弁駆動回路４９と、マイコン４１の制御指令に応じて前記補水弁３１の通電制御（ひいては、補水弁３１の開閉制御）を行う補水弁駆動回路５０とを含む。
【００４１】
電源回路４２は、その入力側（一次側）が、前記電源コード１４にコネクタ１６を介して接続されており、該電源コード１４から商用電源の電力（交流電力）が入力される。この電源回路４２は、図示を省略するトランスを含む公知の構成の電力変換回路（スイッチング方式の電力変換回路）を含んでおり、該電力変換回路により所定電圧の直流電源電圧を生成して出力するように構成されている。。
【００４２】
ここで、電源回路４２が生成する直流電源電圧は、本実施形態では、５Ｖ、１２Ｖ、及び２４Ｖの３種類の直流電圧である。５Ｖは、マイコン４１、及び各サーミスタ２５等の動作用電圧、１２Ｖは、各ステッピングモータ２１、温度ヒューズ２２、ガス元弁２３、ガス電磁弁２４、水量センサ２６、湯はり量センサ２７、湯はり弁３０及び補水弁３１等の動作用電圧、２４Ｖは、床暖房リモコン２８及び浴室暖房リモコン２９の動作用電圧である。
【００４３】
そして、基板１１の配線パターンは、商用電源から電源回路４２に入力される電力の基準電位部として、前記接地線１５を介して筐体２に接地された筐体接地電位部６１と、電源回路４２が生成する直流電源電圧の基準電位部（電源回路４２の出力側（二次側）の基準電位部）としての二次側グランド６２と、該二次側グランド６２に対して、５Ｖ、１２Ｖ、及び２４Ｖの直流電源電圧がそれぞれ付与される５Ｖ電位部６３、１２Ｖ電位部６４、及び２４Ｖ電位部６５とを含む。
【００４４】
この場合、電源回路４２内では、筐体接地電位部６１と二次側グランド６２とはトランスを介して互いに電気的に絶縁されている。そして、電源回路４２の出力側（二次側）は、上記二次側グランド６２、５Ｖ電位部６３、１２Ｖ電位部６４、及び２４Ｖ電位部６５に基板１１上で接続されており、５Ｖ電位部６３、１２Ｖ電位部６４、及び２４Ｖ電位部６５のそれぞれと、二次側グランド６２との間に、５Ｖ、１２Ｖ、２４Ｖの直流電源電圧のそれぞれを出力する。
【００４５】
なお、電源回路４２が生成する５Ｖの直流電源電圧というのは、より詳しくは、５Ｖに一致するか、もしくは、所定の範囲内で５Ｖにほぼ一致する電圧である。このことは、１２Ｖの直流電源電圧、及び２４Ｖの直流電源電圧についても同様である。
【００４６】
各モータ駆動回路４３は、１２Ｖの直流電源電圧が与えられるように、１２Ｖ電位部６４及び二次側グランド６２に基板１１上で接続されている。さらに、各モータ駆動回路４３は、対応するステッピングモータ２１に給電し得るように、該ステッピングモータ２１にハーネス１２ａの通電線を介して接続されていると共に、マイコン４１から制御指令を受けるべく、該マイコン４１に基板１１上で接続されている。
【００４７】
そして、各モータ駆動回路４３は、マイコン４１から与えられる制御指令に応じて、１２Ｖの直流電源電圧から生成した電力をステッピングモータ２１に給電することで、該ステッピングモータ２１の所要の動作（制御指令に応じた動作）を行わせるように構成されている。
【００４８】
なお、各モータ駆動回路４３から、対応するステッピングモータ２１への給電（電圧の印加）は、所定の駆動周波数（例えば１２５Ｈｚ）で間欠的に行われる。
【００４９】
温度ヒューズ２２は、１２Ｖの直流電源電圧を、１２Ｖ電位部６４から該温度ヒューズ２２を介して前記強制閉弁回路４５に供給し得るように、１２Ｖ電位部６４と強制閉弁回路４５とにハーネス１２ｂの通電線を介して接続されている。従って、強制閉弁回路４５は、温度ヒューズ２２と、ハーネス１２ｂの通電線（温度ヒューズ２２の両端に接続された通電線）とを介して１２Ｖ電位部６４に接続されている。
【００５０】
そして、強制閉弁回路４５は、１２Ｖ電位部６４から温度ヒューズ２２を介して与えられる１２Ｖの直流電源電圧を、ガス元弁２３及び各ガス電磁弁２４のそれぞれのソレノイド（図示省略）に出力し得るように、ガス元弁２３及び各ガス電磁弁２４のそれぞれのソレノイドにハーネス１２ｂの通電線を介して接続されている。
【００５１】
従って、温度ヒューズ２２が断線した場合には、強制閉弁回路４５に１２Ｖの直流電源電圧が供給されなくなる。このため、該強制閉弁回路４５からガス元弁２３及び各ガス電磁弁２４のそれぞれのソレノイドへの１２Ｖの直流電圧の出力も遮断されるようになっている。
【００５２】
なお、ハーネス１２ｂの通電線のうち、温度ヒューズ２２と強制閉弁回路４５との間の通電線から１２Ｖ電源の通電線１２b1が分岐されている。この通電線１２b1は、図３に示す如く、水量センサ２６、湯はり量センサ２７、湯はり弁３０及び補水弁３１に１２Ｖの直流電源電圧を供給するための通電線として使用される。
【００５３】
強制閉弁回路４５は、さらに、電磁弁駆動回路４４の動作異常時に該電磁弁駆動回路４４から出力される信号、あるいは、マイコン４１からの制御指令を受けるべく、電磁弁駆動回路４４とマイコン４１とに基板１１上で接続されている。そして、強制閉弁回路４５は、電磁弁駆動回路４４から与えられる上記信号、あるいは、マイコン４１から与えられる制御指令に応じて、ガス元弁２３及び各ガス電磁弁２４のそれぞれのソレノイドへの１２Ｖの直流電源電圧の出力を遮断し得るように構成されている。
【００５４】
この場合、ガス元弁２３及び各ガス電磁弁２４のそれぞれのソレノイドへの１２Ｖの直流電源電圧の出力の遮断動作は、例えば、強制閉弁回路４５に含まれるスイッチング素子（図示省略）のオンオフ制御によりなされる。
【００５５】
電磁弁駆動回路４４は、強制閉弁回路４５から１２Ｖの直流電源電圧が出力されている状態で、ガス元弁２３及び各ガス電磁弁２４のそれぞれのソレノイドに通電させ得るように、ガス元弁２３及び各ガス電磁弁２４のそれぞれのソレノイドに、ハーネス１２ｂの通電線を介して接続されていると共に、二次側グランド６２に基板１１上で接続されている。
【００５６】
さらに、電磁弁駆動回路４４は、マイコン４１から制御指令を受け得ると共に、電磁弁駆動回路４４の動作状態を示す信号をマイコン４１に出力し得るように、マイコン４１に基板１１上で接続されている
そして、電磁弁駆動回路４４は、マイコン４１から与えられる制御指令に応じて、ガス元弁２３及びガス電磁弁２４のうちの所要の電磁弁のソレノイドに、所定の周期で通電させる（パルス駆動方式で通電させる）ことで、該電磁弁を開弁制御し、該電磁弁のソレノイドの通電を定常的に遮断することで、該電磁弁を閉弁させるように構成されている。
【００５７】
この場合、ガス元弁２３及び各ガス電磁弁２４の上記の如き開閉制御は、例えば、電磁弁駆動回路４４に含まれる複数のスイッチング素子（図示省略）のオンオフ制御によりなされる。
【００５８】
なお、上記した各モータ駆動回路４３、電磁弁駆動回路４４、及び強制閉弁回路４５は、公知の構成の回路である。
【００５９】
各サーミスタ２５は、該サーミスタ２５に対応して基板１１に実装されている分圧抵抗５１に、５Ｖ電位部６３と二次側グランド６２との間で直列に接続されるように、ハーネス１２ｃの通電線を介して該分圧抵抗５１と二次側グランド６２とに接続されている。そして、各サーミスタ２５の両端間の電圧が、該サーミスタ２５で検出される温度を示す検出信号として検出回路４７に出力されるように、該サーミスタ２５と分圧抵抗５１との間の中点が検出回路４７に基板１１上で接続されている。
【００６０】
水量センサ２６及び湯はり量センサ２７は、１２Ｖ電位部６４から前記温度ヒューズ２２を介して１２Ｖの直流電源電圧が供給されるように、前記ハーネス１２ｂから分岐された通電線１２b1に接続されていると共に、二次側グランド６２にハーネス１２ｃの通電線を介して接続されている。
【００６１】
これらの水量センサ２６及び湯はり量センサ２７は、１２Ｖの直流電源電圧が供給されている状態で、通水流量（給水流量又は湯はり量）に応じたパルス信号を出力するように構成されている。該パルス信号は、例えば０〜４００Ｈｚの周波数範囲の信号である。そして、水量センサ２６及び湯はり量センサ２７は、当該パルス信号を通水流量（給水流量又は湯はり量）の検出信号として検出回路４７に出力するように、ハーネス１２ｃの通電線を介して検出回路４７に接続されている。
【００６２】
検出回路４７は、各サーミスタ２５、水量センサ２６及び湯はり量センサ２７のそれぞれ毎に与えられる検出信号をマイコン４１用の入力信号に変換するように構成されていると共に、該入力信号をマイコン４１に出力するように該マイコン４１に基板１１上で接続されている。
【００６３】
床暖房リモコン２８及び浴室暖房リモコン２９は、それぞれ、２４Ｖの直流電源電圧が基板１１側から与えられるように、２４Ｖ電位部６５及び二次側グランド６２にハーネス１２ｄの通電線を介して接続されていると共に、通信回路４８を介してマイコン４１と通信を行い得るように、ハーネス１２ｄの通電線を介して通信回路４８に接続されている。
【００６４】
また、通信回路４８は、マイコン４１と通信データを送受し得るように、該マイコン４１に基板１１上で接続されていると共に、床暖房リモコン２８又は浴室暖房リモコン２９から与えられた通信データをマイコン４１に送信し、あるいは、マイコン４１から床暖房リモコン２８又は浴室暖房リモコン２９への通信データを、該当のリモコン２８又は２９に送信し得るように構成されている。
【００６５】
なお、床暖房リモコン２８及び浴室暖房リモコン２９のそれぞれと、マイコン４１との間の通信データは、所定の周波数帯域のパルス信号により構成されるデータである。
【００６６】
湯はり弁３０及び補水弁３１は、電磁弁により構成されており、それぞれのソレノイドの一端が、１２Ｖ電位部６４から前記温度ヒューズ２２を介して１２Ｖの直流電源電圧が供給されるように、前記ハーネス１２ｂから分岐された通電線１２b1に接続されていると共に、それぞれのソレノイドの他端が、ハーネス１２ｅの通電線を介して湯はり弁駆動回路４９及び補水弁駆動回路５０のそれぞれに接続されている。
【００６７】
そして、湯はり弁駆動回路４９及び補水弁駆動回路５０のそれぞれは、湯はり弁３０及び補水弁３１のそれぞれのソレノイドに１２Ｖの直流電源電圧が与えられている状態で、該湯はり弁３０及び補水弁３１のそれぞれのソレノイドに通電させ得るように二次側グランド６２に基板１１上で接続されている。
【００６８】
さらに、湯はり弁駆動回路４９及び補水弁駆動回路５０のそれぞれは、マイコン４１から制御指令を受け得るように、マイコン４１に基板１１上で接続されている
そして、湯はり弁駆動回路４９は、マイコン４１から与えられる制御指令に応じて、湯はり弁３０のソレノイドに、所定の周期で通電させる（パルス駆動方式で通電させる）ことで、該湯はり弁３０を開弁制御し、該湯はり弁３０のソレノイドの通電を定常的に遮断することで、該湯はり弁３０を閉弁させるように構成されている。
【００６９】
同様に、補水弁駆動回路５０は、マイコン４１から与えられる制御指令に応じて、補水弁３１のソレノイドに、所定の周期で通電させる（パルス駆動方式で通電させる）ことで、該補水弁３１を開弁制御し、該補水弁３１のソレノイドの通電を定常的に遮断することで、該補水弁３１を閉弁させるように構成されている。
【００７０】
この場合、湯はり弁３０及び補水弁３１のそれぞれの上記の如き開閉制御は、例えば、湯はり弁駆動回路４９及び補水弁駆動回路５０のそれぞれに含まれる複数のスイッチング素子（図示省略）のオンオフ制御によりなされる。
【００７１】
なお、本実施形態では、湯はり弁３０及び補水弁３１のそれぞれをパルス駆動方式により開弁制御する場合における湯はり弁３０及び補水弁３１のそれぞれの駆動周波数（それぞれのソレノイドの通電の周波数）は、前記ガス元弁２３及び各ガス電磁弁２４のそれぞれをパルス駆動方式により開弁制御する場合における湯はり弁３０及び補水弁３１のそれぞれソレノイドの駆動周波数（それぞれのソレノイドの通電の周波数）よりも高周波の周波数である。本実施形態では、湯はり弁３０及び補水弁３１のそれぞれの駆動周波数は、例えば５００Ｈｚ、ガス元弁２３及び各ガス電磁弁２４のそれぞれの駆動周波数は、例えば２５０Ｈｚである。
【００７２】
前記地絡検知回路４６は、本発明における地絡電流検出器に相当する。この地絡検知回路４６は、いずれかのハーネス１２の通電線が筐体２の導体部分に電気的に導通する地絡が発生することに起因して、前記５Ｖ電位部６３、１２Ｖ電位部６４及び２４Ｖ電位部６５のいずれかから、地絡が発生した通電線と筐体２とを通って流れる電流（以下、地絡電流という）が発生した場合に、該地絡電流の大きさに応じた検出信号（アナログ信号）を生成し得るように構成されている。
【００７３】
かかる地絡検知回路４６は、本実施形態では、例えば図４に示す如く構成されている。この地絡検知回路４６は、地絡電流に応じた電圧を発生する地絡電流検出抵抗７２と、該抵抗素子７２に発生する電圧を分圧する一対の分圧抵抗７３，７４と、地絡検知回路４６が生成する検出信号の電圧の上限値を制限するツェナーダイオード７５と、２つのノイズフィルタ回路７１，７６と、バッファ回路７７とを備える。
【００７４】
地絡電流検出抵抗７２は、その一端が、高周波のノイズ成分を除去するノイズフィルタ回路７１を介して基板１１の筐体接地電位部６１（筐体２と同電位に接続された部分）に接続されると共に、他端が、基板１１の二次側グランド６２に接続されている。
【００７５】
そして、分圧抵抗７３，７４を直列に接続してなる直列回路が、地絡電流検出用抵抗７２に並列に接続されている。なお、分圧抵抗７３，７４の抵抗値は、該分圧抵抗７３，７４及び地絡電流検出用抵抗７２により構成される抵抗回路の全体の合成抵抗値が、地絡電流検出用抵抗７２の抵抗値に近似する抵抗値となるように、地絡電流検出用抵抗７２の抵抗値よりも十分に大きい抵抗値に設定されている。
【００７６】
この場合、分圧抵抗７３，７４の間の中点に生じる電圧（分圧抵抗７４の両端間の電圧）は、地絡電流検出用抵抗７２に流れる電流の大きさに応じた電圧となる。そして、分圧抵抗７３，７４の間の中点が、高周波のノイズ成分を除去するノイズフィルタ回路７６を介してバッファ回路７７の入力側に接続され、該バッファ回路７７の出力側がマイコン４１に接続されている。これにより、分圧抵抗７３，７４の間の中点に生じる電圧、すなわち、地絡検出用抵抗７２に流れる電流の大きさに応じた電圧が、ノイズフィルタ回路７６及びバッファ回路７７を介してマイコン４１に入力されることとなる。
【００７７】
また、分圧抵抗７３，７４の間の中点は、ツェナーダイオード７５を介して基板１１の５Ｖ電位部６３に接続されている。これにより、分圧抵抗７３，７４の間の中点に生じる電圧の上限値が５Ｖに制限されるようになっている。
【００７８】
本実施形態では、地絡検知回路４６は、上記の如く構成されている。
【００７９】
ここで、いずれかのハーネス１２の通電線の地絡（筐体２の導体部分への導通）が発生することに起因して、５Ｖ電位部６３、１２Ｖ電位部６４及び２４Ｖ電位部６５のいずれかの電位部から、筐体２に地絡電流が流れた場合、該地絡電流は、筐体２から筐体接地電位部６１及び前記ノイズフィルタ回路７１を介して地絡電流検出用抵抗７２に流れる。
【００８０】
例えば、図５に例示する如く、前記ハーネス１２ｂのうちのいずれかのガス電磁弁２４と電磁弁駆動回路４４との間の通電線の地絡が発生した場合を想定する。この場合、図５に一点鎖線の矢印線Ｙで表す如く、１２Ｖ電位部６４から、当該ガス電磁弁２４のソレノイド、地絡が発生した通電線、筐体２、筐体接地電位部６１及びノイズフィルタ回路７１を介して地絡電流検出用抵抗７２に地絡電流が流れる。なお、図５に示すスイッチ素子４４ａは、電磁弁駆動回路４４に含まれるスイッチ素子である。
【００８１】
このように地絡電流検出用抵抗７２に地絡電流が流れる現象は、図２に示すハーネス１２ａ又はハーネス１２ｂのうちの任意の通電線（前記通電線１２b1を含む）の地絡が発生した場合、あるいは、図３に示すハーネス１２ｃ又はハーネス１２ｄのうち、二次側グランド６２に接続されている通電線以外の任意の通電線の地絡が発生した場合、あるいは、図３に示すハーネス１２ｅのうちの任意の通電線の地絡が発生した場合に生じ得る現象である。
【００８２】
そして、このように地絡電流検出用抵抗７２に流れる地絡電流の大きさに応じた電圧（以降、地絡検知電圧という）がマイコン４１に入力される。該地絡検知電圧は、地絡電流の大きさにほぼ比例する電圧信号である。
【００８３】
マイコン４１は、図示を省略するメモリに記憶保持されるプログラムを実行することで、給湯器１の運転制御を行う機能の他、地絡検知回路４６から入力される地絡検知電圧に基づいて、地絡の発生を検知し、さらに、該地絡検知電圧の大きさ及びその変化パターンに基づいて、地絡が発生した通電線を特定する機能を有する。従って、マイコン４１は、本発明における通電線特定部としての機能を有するものである。
【００８４】
また、マイコン４１は、地絡が発生した通電線が、どの通電線であるかを示す情報を、基板１１に接続されている台所リモコン（図示省略）等のメインリモコン（図示省略）の表示部の表示によって、報知し得る機能を有する。
【００８５】
ここで、本実施形態では、地絡の発生時に地絡検出用抵抗７２に流れる地絡電流の大きさ又はその変化の周波数は、地絡を生じた通電線が接続されている電子部品の種別、あるいは、該電子部品の動作状態、あるいは、該電子部品の電源電圧（５Ｖ又は１２Ｖ又は２４Ｖ）の大きさ等に依存するものとなる。
【００８６】
例えば、ステッピングモータ２１に係るハーネス１２ａのうちのいずれかの通電線の地絡が発生した場合、該通電線が接続されたステッピングモータ２１の動作中に地絡検出用抵抗７２に流れる地絡電流は、ステッピングモータ２１の駆動周波数（１２５Ｈｚ）と同じ周波数で変動するものとなる。
【００８７】
また、例えば、ガス電磁弁２４に係るハーネス１２ｂのうち、いずれかのガス電磁弁２４と電磁弁駆動回路４４と間の通電線の地絡が発生した場合、該ガス電磁弁２４の閉弁状態では、地絡電流検出用抵抗７２に流れる地絡電流は、ほぼ一定の直流電流となる。一方、該ガス電磁弁２４の開弁状態では、地絡電流検出用抵抗７２に流れる地絡電流は、該ガス電磁弁２４の駆動周波数（２５０Ｈｚ）と同じ周波数で変動するものとなる。
【００８８】
さらに、例えば、ガス電磁弁２４に係るハーネス１２ｂのうち、いずれかのガス電磁弁２４と電磁弁駆動回路４４と間の通電線の地絡が発生した場合、該ガス電磁弁２４の閉弁状態と、該ガス電磁弁２４の開弁状態とでは、該ガス電磁弁２４のソレノイドの通電抵抗が相違するため、地絡電流の大きさも相違するものとなる。
【００８９】
また、地絡電流の大きさは、基本的には、地絡が発生した通電線に対応する電子部品の電源電圧（５Ｖ又は１２Ｖ又は２４Ｖ）が高いほど、大きくなる。
【００９０】
このように、地絡の発生時に地絡電流検出用抵抗７２に流れる地絡電流の大きさ、又は周波数は（ひいては、マイコン４１に入力される地絡検知電圧の大きさ、又は周波数は）、地絡を生じた通電線が接続されている電子部品の種別、あるいは、該電子部品の動作状態、あるいは、該電子部品の電源電圧（５Ｖ又は１２Ｖ又は２４Ｖ）の大きさ等に依存するものとなる。
【００９１】
本実施形態では、マイコン４１は、上記の事項を利用して、地絡が発生した通電線を特定し得るように構成されている。
【００９２】
この場合、本実施形態では、地絡が発生した通電線を特定し得るようにするために、地絡が発生した通電線が、どの電子部品に接続された通電線であるか、あるいは、該電子部品の動作状態に応じて、地絡検知電圧の大きさが、極力明確に変化するように、地絡検知回路４６の地絡電流検出用抵抗７２及び分圧抵抗７３，７４の抵抗値があらかじめ設定されている。
【００９３】
これにより、地絡検知回路４６からマイコン４１に入力される地絡検知電圧は、例えば、図６及び図７に示す如く、地絡が発生していない正常時と、地絡が発生した場合とで、異なる大きさの電圧になると共に、地絡が発生した通電線がどの通電線であるかによって、異なる大きさの電圧になる。さらに、該地絡検知電圧の周波数は、地絡が発生した通電線が接続されている電子部品の駆動周波数に一致もしくはほぼ一致するものとなる。
【００９４】
図６は、給湯器１の運転（給湯運転、風呂運転、及び暖房運転）が行われていない待機状態での地絡検知電圧の大きさと、周波数とを表している。図示の如く、地絡が発生していない正常時には、領域Ｒ１で示す如く、地絡検知電圧は、０．２Ｖ以下の範囲に収まる。
【００９５】
そして、当該待機状態において、例えば、いずれかのサーミスタ２５の通電線（詳しくは、サーミスタ２５と分圧抵抗５１との間の通電線）、あるいは、ガス元弁２３の通電線（詳しくは、ガス元弁２３のソレノイドと電磁弁駆動回路４４との間の通電線）、あるいは、いずれかのガス電磁弁２４の通電線（詳しくは、ガス電磁弁２４のソレノイドと電磁弁駆動回路４４との間の通電線）の地絡が発生した場合には、領域Ｒ２で示す如く、０．２〜２Ｖの範囲内の大きさの地絡検知電圧が発生する。この地絡検知電圧は、ほぼ一定値（約０Ｈｚ）の電圧である。
【００９６】
また、当該待機状態において、例えば１２Ｖの直流電源電圧が付与される通電線（詳しくは、温度ヒューズ２２の両端に接続された各通電線もしくは前記通電線１２b1、あるいは、ガス元弁２３もしくは各ガス電磁弁２４のソレノイドと強制閉弁回路４５との間の通電線等、１２Ｖ電位部６４とほぼ同電位になる通電線）の地絡が発生した場合には、領域Ｒ３で示す如く、３〜４．５Ｖの範囲内の大きさの地絡検知電圧が発生する。この地絡検知電圧は、ほぼ一定値（約０Ｈｚ）の電圧である。
【００９７】
また、当該待機状態において、例えば２４Ｖの直流電源電圧が付与される通電線（詳しくは、床暖房リモコン２８もしくは浴室暖房リモコン２９と、２４Ｖ電位部６５との間の通電線）の地絡が発生した場合には、領域Ｒ４で示す如く、４．５〜５Ｖの範囲内の大きさの地絡検知電圧が発生する。この地絡検知電圧は、ほぼ一定値（約０Ｈｚ）の電圧である。
【００９８】
また、当該待機状態において、床暖房リモコン２８もしくは浴室暖房リモコン２９の通信用の通電線（詳しくは、床暖房リモコン２８もしくは浴室暖房リモコン２９と、通信回路４８との間の通電線）の地絡が発生した場合には、領域Ｒ５で示す如く、４．５〜５Ｖの範囲内の大きさで、且つ、ある周波数帯域（例えば１２５Ｈｚ以上の周波数帯域）で変動を生じる地絡検知電圧が発生する。
【００９９】
また、図７は、給湯器１の運転（給湯運転、風呂運転、又は暖房運転）によって、ステッピングモータ２１等のいずれかの電子部品の作動している状況における地絡検知電圧の大きさと、周波数とを表している。図示の如く、地絡が発生していない正常時には、待機状態の場合と同様に、領域Ｒ１１で示す如く、地絡検知電圧は、０．２Ｖ以下の範囲に収まる。
【０１００】
一方、例えば、水量センサ２６もしくは湯はり量センサ２７の作動時に、該水量センサ２６もしくは湯はり量センサ２７の通電線（詳しくは、水量センサ２６もしくは湯はり量センサ２７と、検出回路４７との間の通電線）の地絡が発生した場合には、領域Ｒ１２で示す如く、１〜３Ｖの範囲内の大きさの地絡検知電圧が発生する。この地絡検知電圧は、ある周波数帯域（例えば１２５〜４００Ｈｚ程度の周波数帯域）で変動を生じる電圧である。
【０１０１】
また、例えば、いずれかのステッピングモータ２１の作動時に、該ステッピングモータ２１の通電線（詳しくは、ステッピングモータ２１とモータ駆動回路４３との間の通電線）の地絡が発生した場合には、領域Ｒ１３で示す如く、３〜４．５Ｖの範囲内の大きさの地絡検知電圧が発生する。この地絡検知電圧は、ステッピングモータ２１の駆動周波数である１２５Ｈｚの周波数で変動を生じる電圧である。
【０１０２】
また、例えば、ガス元弁２３もしくはいずれかのガス電磁弁２４の開弁制御時において、該ガス元弁２３もしくはガス電磁弁２４の通電線（詳しくは、ガス元弁２３もしくはガス電磁弁２４のソレノイドと強制閉弁回路４５との間の通電線）の地絡が発生した場合には、領域Ｒ１４で示す如く、３〜４．５Ｖの範囲内の大きさの地絡検知電圧が発生する。この地絡検知電圧は、ガス元弁２３及び各ガス電磁弁２４のそれぞれの開弁制御時の駆動周波数である２５０Ｈｚの周波数で変動を生じる電圧である。
【０１０３】
また、例えば、湯はり弁３０もしくは補水弁３１の開弁制御時において、該湯はり弁３０もしくは補水弁３１の通電線（詳しくは、湯はり弁３０もしくは補水弁３１のソレノイドと湯はり弁駆動回路４９もしくは補水弁駆動回路５０との間の通電線）の地絡が発生した場合には、領域Ｒ１５で示す如く、３〜４Ｖの範囲内の大きさの地絡検知電圧が発生する。この地絡検知電圧は、湯はり弁３０及び補水弁３１のそれぞれの開弁制御時の駆動周波数である５００Ｈｚの周波数で変動を生じる電圧である。
【０１０４】
次に、地絡の検出に関するマイコン４１の処理を、図８〜図１１のフローチャートを参照して具体的に説明する。
【０１０５】
マイコン４１は、電源が投入された状態（基板１１に商用電源の電力が供給されている状態）で、図８〜図１１のフローチャートに示す処理を実行する。
【０１０６】
ＳＴＥＰ１において、マイコン４１は、地絡検知回路４６から入力される地絡検知電圧Ｖｘを取得する。
【０１０７】
そして、マイコン４１は、取得した地絡検知電圧Ｖｘが０．２Ｖよりも大きいか否か判断する処理をＳＴＥＰ２で実行する。なお、本実施形態では、マイコン４１の処理において、上記０．２Ｖ等、ある閾値と比較する地絡検知電圧Ｖｘは、該Ｖｘがほぼ一定の定電圧である場合には、その電圧値であり、周期的に変動する電圧である場合には、ピーク値である。
【０１０８】
このＳＴＥＰ２の判断結果が否定的となる状況は、図６の領域Ｒ１又は図７の領域Ｒ１１で示したように、地絡が発生していない正常状態である。この場合には、マイコン４１は、ＳＴＥＰ３で正常状態であるとして、ＳＴＥＰ１からの処理を繰り返す。
【０１０９】
ＳＴＥＰ２の判断結果が肯定的となる状況は、いずれかの通電線が筐体２に対して導通する地絡が発生した状況である。この場合には、マイコン４１は、次にＳＴＥＰ４において、給湯器１の状態が前記待機状態であるか否かを判断する。そして、マイコン４１は、給湯器１の状態が待機状態である場合（ＳＴＥＰ４の判断結果が肯定的である場合）には、地絡が発生した通電線（以降、地絡通電線という）がどの通電線であるかを特定するためにＳＴＥＰ５からの処理を実行し、待機状態でない場合（給湯運転、もしくは風呂運転、もしくは暖房運転が行われているために、ＳＴＥＰ４の判断結果が否定的となる場合）には、地絡通電線がどの通電線であるかを特定するために後述のＳＴＥＰ２４からの処理を実行する。
【０１１０】
給湯器１の状態が待機状態である場合のＳＴＥＰ５では、マイコン４１は、ＳＴＥＰ６で、給湯器１を運転禁止状態とし、さらに、ＳＴＥＰ６で地絡検知電圧Ｖｘを改めて取得する。
【０１１１】
そして、マイコン４１は、ＳＴＥＰ７において、地絡検知電圧Ｖｘが、Ｖｘ＞４．５Ｖとなる範囲、３Ｖ＜Ｖｘ≦４．５Ｖとなる範囲、０．２Ｖ＜Ｖｘ≦３Ｖとなる範囲、Ｖｘ≦０．２Ｖとなる範囲のいずれの範囲に属するかを判断する。
【０１１２】
Ｖｘ＞４．５Ｖとなる範囲は、図６に示した領域Ｒ４，Ｒ５が属する範囲である。このため、床暖房リモコン２８もしくは浴室暖房リモコン２９の通電線（２４Ｖの直流電源電圧が付与された通電線、又は通信用の通電線）で地絡が発生したとみなし得る。
【０１１３】
そこで、ＳＴＥＰ７において、Ｖｘ＞４．５Ｖである場合には、マイコン４１は、ＳＴＥＰ８で、地絡検知電圧Ｖｘの周波数が０Ｈｚ（もしくはほぼ０Ｈｚ）であるか否か（換言すれば、Ｖｘがほぼ一定値の定電圧信号であるか否か）を判断する。
【０１１４】
この判断結果が肯定的である場合には、マイコン４１は、ＳＴＥＰ９において、地絡通電線が、床暖房リモコン２８もしくは浴室暖房リモコン２９の、２４Ｖの直流電源電圧が付与された通電線（床暖房リモコン２８もしくは浴室暖房リモコン２９と、基板１１の２４Ｖ電位部６５との間の通電線）であるとして特定し、その旨を示すエラー情報を、台所リモコン等のメインリモコンの表示部等を介して出力する。
【０１１５】
また、ＳＴＥＰ８の判断結果が否定的である場合には、マイコン４１は、ＳＴＥＰ１０において、地絡通電線が、床暖房リモコン２８もしくは浴室暖房リモコン２９の通信用の通電線（床暖房リモコン２８もしくは浴室暖房リモコン２９と、基板１１通信回路４８との間の通電線）であるとして特定し、その旨を示すエラー情報を、台所リモコン等のメインリモコンの表示部等を介して出力する。
【０１１６】
給湯器１の待機状態において、地絡検知電圧Ｖｘが、３Ｖ＜Ｖｘ≦４．５Ｖとなる範囲は、図６に示した領域Ｒ３が属する範囲である。このため、１２Ｖの直流電源電圧が付与された通電線で地絡が発生したとみなし得る。
【０１１７】
そこで、ＳＴＥＰ７において、３Ｖ＜Ｖｘ≦４．５Ｖとである場合には、マイコン４１は、ＳＴＥＰ１１において、地絡通電線が、１２Ｖの直流電源電圧が付与された通電線（温度ヒューズ２２の両端に接続された各通電線もしくは前記通電線１２b1、あるいは、ガス元弁２３もしくは各ガス電磁弁２４のソレノイドと強制閉弁回路４５との間の通電線）であると特定し、その旨を示すエラー情報を、台所リモコン等のメインリモコンの表示部等を介して出力する。
【０１１８】
給湯器１の待機状態において、地絡検知電圧Ｖｘが、０．２Ｖ＜Ｖｘ≦３Ｖとなる範囲は、図６に示した領域Ｒ２が属する範囲である。このため、いずれかのサーミスタ２５の通電線、あるいは、ガス元弁２３の通電線、あるいは、いずれかのガス電磁弁２４の通電線の地絡が発生したとみなし得る。
【０１１９】
この場合、マイコン４１は、地絡通電線をより詳しく特定するために、図９のＳＴＥＰ１２からの処理を実行する。
【０１２０】
ＳＴＥＰ１２では、マイコン４１は、ガス元弁２３及びガス電磁弁２４のうちの１つ、例えばガス元弁２３を、電磁弁駆動回路４４を介して開弁制御する。なお、他の電磁弁（ここでは、ガス元弁２３以外の全てのガス電磁弁２４）は、閉弁状態に保持される。
【０１２１】
そして、このようにガス元弁２３を開弁制御した状態で、マイコン４１は、ＳＴＥＰ１２において、地絡検知回路４６から入力される地絡検知電圧Ｖｘを取得し、該地絡検知電圧Ｖｘが、３Ｖ＜Ｖｘ≦４．５Ｖの範囲内の電圧であるか否かをＳＴＥＰ１４で判断する。
【０１２２】
この判断結果が肯定的となる状況は、ガス元弁２３だけを開弁制御した状態での地絡検知電圧Ｖｘが、図７に示した領域Ｒ１４に属する状況であるので、ガス元弁２３の通電線（ガス元弁２３のソレノイドと電磁弁駆動回路４４との間の通電線）の地絡が発生したとみなし得る。
【０１２３】
そこで、ＳＴＥＰ１４の判断結果が肯定的である場合には、マイコン４１は、ＳＴＥＰ１５において、ガス元弁２３を電磁弁駆動回路４４を介して閉弁させると共に、地絡通電線が、ガス元弁２３の通電線であると特定し、その旨を示すエラー情報を、台所リモコン等のメインリモコンの表示部等を介して出力する。
【０１２４】
また、ＳＴＥＰ１４の判断結果が否定的である場合には、マイコン４１は、次に、ＳＴＥＰ１６において、ガス元弁２３を電磁弁駆動回路４４を介して閉弁させると共に、ガス電磁弁２４を区別する識別番号ｉの値を「１」とする。
【０１２５】
そして、マイコン４１は、ＳＴＥＰ１７において、現在の識別番号ｉの値が、ガス電磁弁２４の総数以下であるか否かを判断する。
【０１２６】
ｉ＝１である場合、ＳＴＥＰ１７の判断結果が肯定的となる。そして、ＳＴＥＰ１７の判断結果が肯定的である場合には、マイコン４１は、ＳＴＥＰ１８において、ｉ番のガス電磁弁２４を、電磁弁駆動回路４４を介して開弁制御する。なお、他の電磁弁（ここでは、ｉ番のガス電磁弁２４以外の全てのガス電磁弁２４及びガス元弁２３）は、閉弁状態に保持される。
【０１２７】
このようにｉ番のガス電磁弁２４を開弁制御した状態で、マイコン４１は、ＳＴＥＰ１９において、地絡検知回路４６から入力される地絡検知電圧Ｖｘを取得し、該地絡検知電圧Ｖｘが、３Ｖ＜Ｖｘ≦４．５Ｖの範囲内の電圧であるか否かをＳＴＥＰ２０で判断する。
【０１２８】
この判断結果が肯定的となる状況は、ｉ番のガス電磁弁２４だけを開弁制御した状態での地絡検知電圧Ｖｘが、図７に示した領域Ｒ１４に属する状況であるので、ｉ番のガス電磁弁２４の通電線（該ガス電磁弁２４のソレノイドと電磁弁駆動回路４４との間の通電線）の地絡が発生したとみなし得る。
【０１２９】
そこで、ＳＴＥＰ２０の判断結果が肯定的である場合には、マイコン４１は、ＳＴＥＰ２２において、ｉ番のガス電磁弁２４を電磁弁駆動回路４４を介して閉弁させると共に、地絡通電線が、ｉ番のガス電磁弁２４の通電線であると特定し、その旨を示すエラー情報を、台所リモコン等のメインリモコンの表示部等を介して出力する。
【０１３０】
また、ＳＴＥＰ２０の判断結果が否定的である場合には、マイコン４１は、ＳＴＥＰ２１において、ｉ番のガス電磁弁２４を電磁弁駆動回路４４を介して閉弁させると共に、識別番号ｉの値を「１」だけ増加させた上で、ＳＴＥＰ１７からの処理を再び実行する。
【０１３１】
ＳＴＥＰ１７の判断結果が否定的となる状況は、ガス元弁２３およびガス電磁弁２４の通電線の地絡は発生していないとみなし得る状況である。このため、ＳＴＥＰ１７の判断結果が否定的となる場合には、いずれかのサーミスタ２５の通電線（サーミスタ２５と分圧抵抗５１との間の通電線）の地絡が発生したとみなし得る。
【０１３２】
そこで、ＳＴＥＰ１７の判断結果が否定的となる場合には、マイコン４１は、ＳＴＥＰ２３において、地絡通電線が、いずれかのサーミスタ２５の通電線であると特定し、その旨を示すエラー情報を、台所リモコン等のメインリモコンの表示部等を介して出力する。
【０１３３】
また、給湯器１の待機状態での前記ＳＴＥＰ７で、地絡検知電圧Ｖｘが、Ｖｘ≦０．２Ｖとなる範囲は、図６に示した領域Ｒ１が属する範囲、すなわち、地絡が発生していない正常状態でのＶｘの範囲である。そこで、ＳＴＥＰ７において、Ｖｘ≦０．２Ｖである場合には、マイコン４１は、エラー情報の出力を行わずに、ＳＴＥＰ１からの処理を再開する。
【０１３４】
ここで、マイコン４１は、上記ＳＴＥＰ９，１０，１１，２２，２３のいずれかの処理の実行後、ＳＴＥＰ５からの処理を継続する。この場合、地絡が発生した通電線の配線経路の変更、あるいは、交換等により、該地絡の発生の原因が解消されれば、ＳＴＥＰ７で、Ｖｘ≦０．２Ｖとなる。これにより、ＳＴＥＰ１からの処理が再開されることとなる。
【０１３５】
給湯器１の待機状態で地絡が発生した場合には、以上の如く地絡通電線を特定する処理が行われる。この場合、ＳＴＥＰ７で地絡検知電圧Ｖｘを４種類の範囲に分類して判断することで、地絡通電線を概略的に特定できる。
【０１３６】
さらに、ＳＴＥＰ７でＶｘ＞４．５Ｖである場合には、地絡検知電圧Ｖｘの周波数をＳＴＥＰ８で判断することで、床暖房リモコン２８又は浴室暖房リモコン２９の、２４Ｖの直流電源電圧を付与される通電線と、通信用の通電線とを区別して、地絡通電線を特定できる。
【０１３７】
また、ＳＴＥＰ７で０．２Ｖ＜Ｖｘ≦３Ｖとなる場合には、ガス元弁２３及びガス電磁弁２４が順番に開弁制御され、それぞれの開弁制御時（作動時）の地絡検知電圧Ｖｘに基づいて、ガス元弁２３及びガス電磁弁２４のそれぞれの通電線毎に、地絡が発生した通電線であるか否かの判定する処理が、順番に実行される。これにより、ＳＴＥＰ７で０．２Ｖ＜Ｖｘ≦３Ｖとなる場合に、地絡通電線が、ガス元弁２３及びガス電磁弁２４、並びに、サーミスタ２５のいずれの通電線であるかを適正に特定することができる。
【０１３８】
次に、前記ＳＴＥＰ４の判断結果が否定的である場合、すなわち、ＳＴＥＰ２でＶｘ＞０．２Ｖとなって、地絡の発生が検知されたときの給湯器１の状態が、運転状態（給湯運転、もしくは風呂運転、もしくは暖房運転を行っている状態）である場合には、マイコン４１は、図１０のＳＴＥＰ２４からの処理を実行する。
【０１３９】
ＳＴＥＰ２４では、マイコン４１は、地絡検知回路４６から入力される地絡検知電圧Ｖｘを取得する。そして、マイコン４１は、ＳＴＥＰ２５において、地絡検知電圧Ｖｘが、Ｖｘ＞３Ｖとなる範囲、０．２Ｖ＜Ｖｘ≦３Ｖとなる範囲、Ｖｘ≦０．２Ｖとなる範囲のいずれの範囲に属するかを判断する。
【０１４０】
Ｖｘ＞３Ｖとなる範囲は、図７に示した領域Ｒ１３，Ｒ１４，Ｒ１５が属する範囲である。そして、本実施形態では、ガス元弁２３及びガス電磁弁２４のいずれかの通電線の地絡が発生している場合には、当該地絡通電線の特定は、前記した如く、給湯器１の待機状態において行わる。
【０１４１】
このため、ＳＴＥＰ２５で、Ｖｘ＞３Ｖとなる場合には、いずれかのステッピングモータ２１の通電線（ステッピングモータ２１とモータ駆動回路４３との間の通電線）、あるいは、湯はり弁３０もしくは補水弁３１の通電線（湯はり弁３０のソレノイドと湯はり弁駆動回路４９との間の通電線、もしくは、補水弁３１のソレノイドと補水弁駆動回路５０との間の通電線）で地絡が発生したとみなし得る。
【０１４２】
この場合、マイコン４１は、地絡通電線をより詳しく特定するために、ＳＴＥＰ２６からの処理を実行する。
【０１４３】
ＳＴＥＰ２６では、マイコン４１は、ＳＴＥＰ２４で取得した地絡検知電圧Ｖｘの周波数が、ステッピングモータ２１の駆動周波数である１２５Ｈｚに一致もしくはほぼ一致するか否かを判断する。
【０１４４】
このＳＴＥＰ２６の判断結果が肯定的である場合には、いずれかのステッピングモータ２１の通電線の地絡が発生したとみなし得る。そして、この場合、マイコン４１は、まず、ＳＴＥＰ２７で給湯器１の運転を強制的に停止させた後、地絡が発生した通電線が、いずれのステッピングモータ２１の通電線であるかを特定する処理をＳＴＥＰ２８から実行する。
【０１４５】
ＳＴＥＰ２８では、マイコン４１は、ステッピングモータ２１を区別する識別番号ｊの値を「１」とする。
【０１４６】
次いで、マイコン４１は、ＳＴＥＰ２９において、ｊ番のステッピングモータ２１を所定の態様で作動させるように、該ステッピングモータ２１に対応するモータ駆動回路４３を介して該ステッピングモータ２１に給電させる。
【０１４７】
そして、このようにｊ番のステッピングモータ２１を作動させた状態で、マイコン４１は、ＳＴＥＰ３０において、地絡検知回路４６から入力される地絡検知電圧Ｖｘを取得し、該地絡検知電圧Ｖｘが、３Ｖ＜Ｖｘ≦４．５Ｖの範囲内の電圧であるか否かをＳＴＥＰ３１で判断する。
【０１４８】
この判断結果が肯定的となる状況は、ｊ番のステッピングモータ２１だけを作動させた状態での地絡検知電圧Ｖｘが、図７に示した領域Ｒ１３に属する状況であるので、ｊ番のステッピングモータ２１の通電線（該ステッピングモータ２１とこれに対応するモータ駆動回路４３との間の通電線）の地絡が発生したとみなし得る。
【０１４９】
そこで、ＳＴＥＰ３１の判断結果が肯定的である場合には、マイコン４１は、ＳＴＥＰ３３において、ｊ番のステッピングモータ２１の作動を停止させると共に、地絡通電線が、ｊ番のステッピングモータ２１の通電線であると特定し、その旨を示すエラー情報を、台所リモコン等のメインリモコンの表示部等を介して出力する。
【０１５０】
また、ＳＴＥＰ３１の判断結果が否定的である場合には、マイコン４１は、ＳＴＥＰ３２において、ｊ番のステッピングモータ２１の作動を停止させると共に、識別番号ｊの値を「１」だけ増加させた上で、ＳＴＥＰ２９からの処理を再び実行する。
【０１５１】
ＳＴＥＰ２６の判断結果が肯定的である場合には、上記のようにして、いずれのステッピングモータ２１の通電線で地絡が発生したのかが特定される。
【０１５２】
一方、ＳＴＥＰ２６の判断結果が否定的である場合には、地絡が発生した通電線が、湯はり弁３０及び補水弁３１のいずれかの通電線であるとみなし得る。そして、この場合、マイコン４１は、さらに、湯はり弁３０及び補水弁３１のいずれの通電線の地絡が発生したのかを特定するために、ＳＴＥＰ３４から処理を実行する。
【０１５３】
ＳＴＥＰ３４では、マイコン４１は、給湯器１の運転を強制的に停止させると共に、湯はり弁３０及び補水弁３１のうちの一方、例えば湯はり弁３０を、湯はり弁駆動回路４９を介して開弁制御する。
【０１５４】
そして、このように湯はり弁３０を開弁制御した状態で、マイコン４１は、ＳＴＥＰ３５において、地絡検知回路４６から入力される地絡検知電圧Ｖｘを取得し、該地絡検知電圧Ｖｘが、Ｖｘ＞０．２Ｖであるか否かをＳＴＥＰ３６で判断する。
【０１５５】
この判断結果が肯定的となる状況は、湯はり弁３０を開弁制御した状態での地絡検知電圧Ｖｘが、図７に示した領域Ｒ１５に属する状況であるので、該湯はり弁３０の通電線（該湯はり弁３０のソレノイドと湯はり弁駆動回路４９との間の通電線）の地絡が発生したとみなし得る。
【０１５６】
そこで、ＳＴＥＰ３６の判断結果が肯定的である場合には、マイコン４１は、ＳＴＥＰ３７において、湯はり弁３０を閉弁させると共に、地絡通電線が、湯はり弁３０の通電線であると特定し、その旨を示すエラー情報を、台所リモコン等のメインリモコンの表示部等を介して出力する。
【０１５７】
また、ＳＴＥＰ３６の判断結果が否定的となる状況は、湯はり弁３０を開弁制御した状態での地絡検知電圧Ｖｘが、地絡が発生していない正常時の値であるので、補水弁３１の通電線（該補水弁３１のソレノイドと補水弁駆動回路５０との間の通電線）の地絡が発生したとみなし得る。
【０１５８】
そこで、ＳＴＥＰ３６の判断結果が否定的である場合には、マイコン４１は、ＳＴＥＰ３８において、湯はり弁３０を閉弁させると共に、地絡通電線が、補水弁３１の通電線であると特定し、その旨を示すエラー情報を、台所リモコン等のメインリモコンの表示部等を介して出力する。
【０１５９】
以上のように、ＳＴＥＰ２５でＶｘ＞３Ｖである場合には、ＳＴＥＰ２６〜３８の処理によって、ステッピングモータ２１、湯はり弁３０及び補水弁３１のいずれの通電線で地絡が発生したのかが特定される。
【０１６０】
なお、ＳＴＥＰ２６では、例えば、Ｖｘの周波数が、湯はり弁３０及び補水弁３１の開弁制御の駆動周波数である５００Ｈｚに一致もしくはほぼ一致するかを判断し、この判断結果が否定的である場合に、ＳＴＥＰ２７からの処理を実行し、肯定的である場合に、ＳＴＥＰ３４からの処理を実行してもよい。
【０１６１】
次に、ＳＴＥＰ２５において、地絡検知電圧Ｖｘが、０．２Ｖ＜Ｖｘ≦３Ｖとなる範囲は、図７に示した領域Ｒ１２が属する範囲である。このため、ＳＴＥＰ２５で、０．２Ｖ＜Ｖｘ≦３Ｖとなる場合には、水量センサ２６又は湯はり量センサ２７の通電線（水量センサ２６又は湯はり量センサ２７と、検出回路４７との間の通電線）で地絡が発生したとみなし得る。
【０１６２】
この場合、マイコン４１は、地絡通電線をより詳しく特定するために、図１１のＳＴＥＰ３９からの処理を実行する。ＳＴＥＰ３９では、マイコン４１は、給湯器１の運転を強制的に停止させた上で、改めて、浴槽への湯はりを開始させる。浴槽への湯はりは、湯はり弁３０を開弁制御することで開始される。
【０１６３】
このように、浴槽への湯はりを行った状態（換言すれば、湯はり量センサ２７が湯はり量を検出し得る状態）で、マイコン４１は、ＳＴＥＰ４０において、地絡検知回路４６から入力される地絡検知電圧Ｖｘを取得し、該地絡検知電圧Ｖｘが、０．２Ｖ＜Ｖｘ≦３Ｖであるか否かをＳＴＥＰ４１で判断する。
【０１６４】
この判断結果が肯定的となる状況は、湯はり量センサ２７が湯はり流量を検出し得る状態での地絡検知電圧Ｖｘが、図７に示した領域Ｒ１５に属する状況であるので、湯はり量センサ２７の通電線（該湯はり量センサ２７と検出回路４７との間の通電線）の地絡が発生したとみなし得る。
【０１６５】
そこで、ＳＴＥＰ４１の判断結果が肯定的である場合には、マイコン４１は、ＳＴＥＰ４２において、浴槽への湯はりを停止させる（湯はり弁３０を閉弁させる）と共に、地絡通電線が、湯はり量センサ２７の通電線であると特定し、その旨を示すエラー情報を、台所リモコン等のメインリモコンの表示部等を介して出力する。
【０１６６】
また、ＳＴＥＰ４１の判断結果が否定的である場合には、マイコン４１は、ＳＴＥＰ４３において、浴槽への湯はりを停止させる（湯はり弁３０を閉弁させる）と共に、地絡通電線が、水量センサ２６の通電線であると特定し、その旨を示すエラー情報を、台所リモコン等のメインリモコンの表示部等を介して出力する。
【０１６７】
また、給湯器１の運転状態での前記ＳＴＥＰ２５で、地絡検知電圧Ｖｘが、Ｖｘ≦０．２Ｖとなる範囲は、図７に示した領域Ｒ１１が属する範囲、すなわち、地絡が発生していない正常状態でのＶｘの範囲である。そこで、ＳＴＥＰ２５において、Ｖｘ≦０．２Ｖである場合には、マイコン４１は、エラー情報の出力を行わずに、前記ＳＴＥＰ１からの処理を再開する。
【０１６８】
ここで、マイコン４１は、上記ＳＴＥＰ３３，３８，４２，４３のいずれかの処理の実行後、ＳＴＥＰ２４からの処理を継続する。この場合、地絡が発生した通電線の配線経路の変更、あるいは、交換等により、該地絡の発生の原因が解消されれば、ＳＴＥＰ２５で、Ｖｘ≦０．２Ｖとなる。これにより、ＳＴＥＰ１からの処理が再開されることとなる。
【０１６９】
給湯器１の運転状態で地絡が発生した場合には、以上の如く地絡通電線を特定する処理が行われる。この場合、ＳＴＥＰ２５で地絡検知電圧Ｖｘを３種類の範囲に分類して判断することで、地絡通電線を概略的に特定できる。
【０１７０】
そして、ＳＴＥＰ２５でＶｘ＞３Ｖである場合には、地絡検知電圧Ｖｘの周波数をＳＴＥＰ２６で判断することで、ステッピングモータ２１の通電線と、湯はり弁３０及び補水弁３１の通電線とを区別して、地絡通電線を特定できる。
【０１７１】
さらに、ＳＴＥＰ２６の判断結果が肯定的である場合には、複数のステッピングモータ２１を順番に作動させ、それぞれの作動時の地絡検知電圧Ｖｘに基づいて、ステッピングモータ２１のそれぞれの通電線毎に、地絡が発生した通電線であるか否かの判定する処理が、順番に実行される。これにより、地絡通電線が、いずれのステッピングモータ２１の通電線であるかを適正に特定することができる。
【０１７２】
また、ＳＴＥＰ２６の判断結果が否定的である場合に、湯はり弁３０及び補水弁３１のいずれか一方、例えば湯はり弁３０を開弁制御した状態で、地絡検知電圧Ｖｘの大きさをＳＴＥＰ３６で判断することで、地絡通電線が、湯はり弁３０及び補水弁３１のいずれの通電線であるかを適正に特定することができる。
【０１７３】
また、ＳＴＥＰ２５で０．２Ｖ＜Ｖｘ≦３Ｖである場合に、浴槽の湯はりを行って、湯はり量センサ２７を作動させた状態で、地絡検知電圧Ｖｘの大きさをＳＴＥＰ４１で判断することで、地絡通電線が、水量センサ２６及び湯はり量センサ２７のいずれの通電線であるかを適正に特定することができる。
【０１７４】
以上の如く本実施形態によれば、地絡が発生した場合に、地絡通電線の特定を適正に行うことができる。そして、特定した地絡通電線を報知することで、地絡の解消作業を行う作業者は、どの通電線で地絡が発生したのかを認識できるため、地絡の解消作業（地絡が発生した通電線の交換、該通電線の配設経路の修正等）を短時間で容易に行うことができる。
【０１７５】
なお、本発明は、以上説明した実施形態に限定されるものではない。以下に、他の実施形態をいくつか説明する。例えば、ＳＴＥＰ６で取得した地絡検知電圧Ｖｘの周波数が、床暖房リモコン２８及び浴室暖房リモコン２９の通信用の周波数帯域に属する場合には、Ｖｘの大きさによらずに、地絡通電線を、床暖房リモコン２８又は浴室暖房リモコン２９の通信用の通電線であると特定してもよい。
【０１７６】
また、例えば、ＳＴＥＰ１３で取得した地絡検知電圧Ｖｘが、ほぼ一定の電圧である場合（周波数が約０Ｈｚである場合）に、Ｖｘの大きさによらずに、地絡通電線を、いずれかのサーミスタ２５の通電線であると特定してもよい。
【０１７７】
また、例えば、ＳＴＥＰ２４で取得した地絡検知電圧Ｖｘが、ステッピングモータ２１の駆動周波数である１２５Ｈｚに一致もしくはほぼ一致する場合には、Ｖｘの大きさによらずに、地絡通電線を、いずれかのステッピングモータ２１の通電線であると特定してもよい。
【０１７８】
また、ＳＴＥＰ３４で、湯はり弁３０を開弁制御する代わりに、補水弁３１を開弁制御し、この状態で取得した地絡検知電圧Ｖｘが、Ｖｘ＞０．２Ｖである場合に、地絡通電線が、補水弁３１の通電線であると特定してもよい。
【０１７９】
また、前記実施形態では、地絡検知電圧Ｖｘの変化パターンを表す指標として、Ｖｘの周波数を用いた。ただし、ある電子部品の作動状態を、ある所定状態から他の状態に変化させたときの地絡検知電圧Ｖｘの変化パターン等に基づいて、地絡通電線の特定を行うようにしてもよい。
【０１８０】
また、地絡検知回路４６は、地絡電流を検出し得るものであれば、前記実施形態と異なる構成の回路であってもよい。
【０１８１】
さらに、前記実施形態では、本発明における機器として、温水暖房機能付きの風呂給湯器１を例示したが、本発明の適用対象の機器は、例えば、温水暖房機能を備えない給湯器であってもよい。さらには、本発明は、給湯器に限らず、空調システム等、種々様々な機器に適用できる。
【符号の説明】
【０１８２】
１…温水暖房機能付きの風呂給湯器（機器）、２…筐体、１２（１２ａ〜１２ｅ）…ハーネス（通電線）、４１…マイコン（通電線特定部）、４６…地絡検知回路（地絡電流検出器）。
【図１】
2018179885.tif 000003
【図２】
2018179885.tif 000004
【図３】
2018179885.tif 000005
【図４】
2018179885.tif 000006
【図５】
2018179885.tif 000007
【図６】
2018179885.tif 000008
【図７】
2018179885.tif 000009
【図８】
2018179885.tif 000010
【図９】
2018179885.tif 000011
【図１０】
2018179885.tif 000012
【図１１】
2018179885.tif 000013